(57)【要約】      （修正有）【課題】キーアセンブリの比較的脆弱な部品を、損傷から保護する木管型楽器及び金管型楽器及びその組立方法を提供する。【解決手段】キー部材１５０の軸部及び付勢部材は、内部管１８０の表面に配置された設置部１９８によって提供される設置位置に配置されるように構成され、それにより、上部シェル部材１４０ａが内部管１８０の外面に取り付けられるとき、取り付けられた上部シェル部材１４０ａと内部管１８０の表面とが合わせて、それらの間に軸部及び付勢部材をそれらのそれぞれの設置位置において固定する。【選択図】図１１
2018084785.tif 000002
【特許請求の範囲】
【請求項１】
管状体であって、
少なくとも１つのトーンホールを備える内部管であって、前記トーンホールは、該内部管の内側の領域と該内部管の外側の領域との間に空気連通を提供するように該内部管の表面に配置されている、内部管と、
前記内部管の外面に取り付けられるように構成された第１の外側シェル部材と、
を有する管状体と、
トーンホール閉鎖部、軸部及び付勢部材を含む少なくとも１つのキー部材であって、前記トーンホール閉鎖部は、少なくとも、該トーンホール閉鎖部が前記内部管内に配置された前記少なくとも１つのトーンホールを覆う閉鎖位置と、該トーンホール閉鎖部が、前記内部管に配置された前記トーンホールを覆わない開放位置との間で、前記管状体に対して移動可能である、キー部材と、
を含み、
前記軸部及び前記付勢部材のうちの少なくとも一方は、前記第１の外側シェル部材及び前記内部管の前記外面のうちの少なくとも一方に配置された設置部によって提供される設置位置に配置されるように構成され、それにより、前記第１の外側シェル部材は前記内部管の前記外面に、それらの間に前記キー部材の動作のために前記軸部及び前記付勢部材のうちの少なくとも一方をその設置位置で固定するように取り付けられるように構成されている、楽器。
【請求項２】
木管型楽器及び金管型楽器のうちの少なくとも一方を含む、請求項１に記載の楽器。
【請求項３】
サクソフォン型楽器を含む、請求項１又は２に記載の楽器。
【請求項４】
前記第１の外側シェル部材及び前記内部管は、クリック嵌合式、スナップフィット式、圧入嵌合式及び摩擦嵌合式の少なくとも１つで合わせて取り付けられるように構成されている、請求項１〜３のいずれか一項に記載の楽器。
【請求項５】
前記第１の外側シェル部材に複数の孔が配置され、それにより、該第１の外側シェル部材が前記内部管に取り付けられると、該第１の外側シェル部材に配置された前記複数の孔は、前記内部管に配置された前記トーンホール部と位置合わせされるように構成されている、請求項１〜４のいずれか一項に記載の楽器。
【請求項６】
前記トーンホール閉鎖部は、シリコーンパッドを受け入れる凹部を含み、それにより、該トーンホール閉鎖部が前記閉鎖位置に配置されると、前記シリコーンパッドは前記対応するトーンホールを封止する、請求項１〜５のいずれか一項に記載の楽器。
【請求項７】
前記内部管は、ポリマー材料から成形される単一部品の管を含む、請求項１〜６のいずれか一項に記載の楽器。
【請求項８】
前記第１の外側シェル部材及び前記キー部材のうちの少なくとも一方は、ポリマー材料から少なくとも部分的に成形されている、請求項１〜７のいずれか一項に記載の楽器。
【請求項９】
前記楽器は、前記管状体に配置されたサムレストを含み、該サムレストは、前記管状体に対して複数の位置の間で移動可能である、請求項１〜８のいずれか一項に記載の楽器。
【請求項１０】
前記楽器は、間に前記サムレストの第１の部分を封入し、該サムレストの第２の部分が前記管状体から外側に延在するのを可能にするように、前記内部管に取り付けられるように構成された第２の外側シェル部材を含み、それにより、前記サムレストの前記第１の部分は、該サムレストの前記管状体に対する前記位置の調整を可能にするように、前記第２の外側シェル部材と前記内部管との間に配置された空間内で摺動可能である、請求項９に記載の楽器。
【請求項１１】
前記楽器は、前記内部管の表面に配置されたオクターブ孔を含み、それにより、該オクターブ孔の閉鎖は、第１オクターブでの該楽器の演奏を可能にするように構成され、該オクターブ孔の開放は、相対的により高いオクターブでの該楽器の演奏を可能にするように構成されている、請求項１〜１０のいずれか一項に記載の楽器。
【請求項１２】
前記楽器は、本体と該本体に移動可能に取り付けられたリガチャーとを有するマウスピースを含み、該リガチャーは、少なくとも、リードを、前記本体に固定するために該本体に対して適所に挿入することができる第１の形態と、前記リガチャーが前記本体に対して前記リードを固定するように配置される第２の形態との間で、前記本体に対して移動するように構成されている、請求項１〜１１のいずれか一項に記載の楽器。
【請求項１３】
楽器を組み立てる方法であって、
（ｉ）管状体を設けるステップであって、該管状体は、
少なくとも１つのトーンホールを備える内部管であって、前記トーンホールは、該内部管の内側の領域と該内部管の外側の領域との間に空気連通を提供するように該内部管の表面に配置される、内部管と、
前記内部管の外面に取り付けられるように構成された第１の外側シェル部材と、
を有する、ステップと、
（ｉｉ）トーンホール閉鎖部、軸部及び付勢部材を含む少なくとも１つのキー部材を設けるステップであって、前記トーンホール閉鎖部は、少なくとも、該トーンホール閉鎖部が前記内部管内に配置された前記少なくとも１つのトーンホールを覆う閉鎖位置と、該トーンホール閉鎖部が、前記内部管に配置された前記トーンホールを覆わない開放位置との間で、前記管状体に対して移動するように構成される、ステップと、
（ｉｉｉ）前記軸部及び前記付勢部材のうちの少なくとも一方を、前記第１の外側シェル部材と前記内部管の前記外面とのうちの少なくとも一方に配置された設置部によって提供される設置位置に配置するステップと、
（ｉｖ）前記第１の外側シェル部材を前記内部管の前記外面に、それらの間に前記キー部材の動作のために前記軸部及び前記付勢部材のうちの少なくとも一方をその設置位置で固定するように取り付けるステップと、
を含む、方法。
【請求項１４】
前記第１の外側シェル部材に複数の孔が配置され、それにより、該第１の外側シェル部材が前記内部管に取り付けられると、該第１の外側シェル部材に配置された前記複数の孔は、前記内部管に配置された前記トーンホール部と位置合わせされるように構成される、請求項１３に記載の方法。
【請求項１５】
前記楽器は、前記管状体に配置されたサムレストを含み、該サムレストは、前記管状体に対して複数の位置の間で移動可能である、請求項１３又は１４に記載の方法。
【発明の詳細な説明】
【技術分野】
【０００１】
本発明は、木管型楽器及び金管型楽器並びにその組立方法に関する。
【背景技術】
【０００２】
サクソフォンは、キーアセンブリが複雑であり、サクソフォンが適切に鳴るためにサクソフォンの本体にキーアセンブリを正確に取り付けなければならないため、組み立てるために比較的長い時間、高度な技能及び専門技術が必要である。さらに、サクソフォンを組み立てるためには、専門器具、機器及び適切な締結具が必要であり、それもまた、この全体的な複雑さの一因となる。さらに、サクソフォンは、個々に手作りされる傾向があるため、専門技能がある人による注文された（bespoke）チューニングを行わなければならず、これもまた、こうした楽器の製造中の追加の時間を過度に招く。
【発明の概要】
【発明が解決しようとする課題】
【０００３】
本発明は、上述した問題のうちの少なくとも１つを軽減しようとするものである。
【課題を解決するための手段】
【０００４】
本発明は、幾つかの広範な形態を含むことができる。本発明の実施形態は、本明細書に記載する異なる広範な形態のうちの１つ又は任意の組合せを含むことができる。
【０００５】
第１の広範な形態において、本発明は、
管状体であって、
少なくとも１つのトーンホールを備える内部管であって、トーンホールは、内部管の内側の領域と内部管の外側の領域との間に空気連通を提供するようにこの内部管の表面に配置されている、内部管と、
内部管の外面に取り付けられるように構成された第１の外側シェル部材と、
を有する管状体と、
トーンホール閉鎖部、軸部及び付勢部材を含む少なくとも１つのキー部材であって、トーンホール閉鎖部は、少なくとも、このトーンホール閉鎖部が内部管内に配置された少なくとも１つのトーンホールを覆う閉鎖位置と、このトーンホール閉鎖部が、内部管に配置されたトーンホールを覆わない開放位置との間で、管状体に対して移動可能である、キー部材と、
を含み、
軸部及び付勢部材のうちの少なくとも一方は、第１の外側シェル部材及び内部管の外面のうちの少なくとも一方に配置された設置部によって提供される設置位置に配置されるように構成され、それにより、第１の外側シェル部材は内部管の外面に、それらの間にキー部材の動作のために軸部及び付勢部材のうちの少なくとも一方をその設置位置で固定するように取り付けられるように構成されている、楽器を提供する。
【０００６】
通常、本発明は、木管型楽器及び金管型楽器のうちの少なくとも一方を含むことができる。
【０００７】
好ましくは、楽器は、サクソフォン型楽器を含むことができる。
【０００８】
好ましくは、第１の外側シェル部材及び内部管は、クリック嵌合式、スナップフィット式、圧入嵌合式及び摩擦嵌合式の少なくとも１つで合わせて取り付けられるように構成することができる。
【０００９】
好ましくは、第１の外側シェル部材に複数の孔を配置することができ、それにより、第１の外側シェル部材が内部管に取り付けられると、第１の外側シェル部材に配置された複数の孔は、内部管に配置されたトーンホール部と位置合わせされるように構成される。
【００１０】
好ましくは、トーンホール閉鎖部は、シリコーンパッドを受け入れる凹部を含むことができ、それにより、トーンホール閉鎖部が閉鎖位置に配置されると、シリコーンパッドは対応するトーンホールを封止する。
【００１１】
好ましくは、内部管は、ポリマー材料から成形される単一部品の管を含むことができる。
【００１２】
好ましくは、第１の外側シェル部材及びキー部材のうちの少なくとも一方は、ポリマー材料から少なくとも部分的に成形することができる。
【００１３】
好ましくは、本発明は、管状体に配置されたサムレストを含むことができ、このサムレストは、管状体に対して複数の位置の間で移動可能である。
【００１４】
好ましくは、第２の外側シェル部材は、間にサムレストの第１の部分を封入し、サムレストの第２の部分が管状体から外側に延在するのを可能にするように、内部管に取り付けられるように構成することができ、それにより、サムレストのこの第１の部分は、サムレストの管状体に対する位置の調整を可能にするように、第２の外側シェル部材と内部管との間に配置された空間内で摺動可能とすることができる。
【００１５】
好ましくは、本発明は、内部管の表面に配置されたオクターブ孔を含むことができ、それにより、このオクターブ孔の閉鎖は、第１オクターブでの楽器の演奏を可能にするように構成され、オクターブ孔の開放は、相対的により高いオクターブでの本楽器の演奏を可能にするように構成される。
【００１６】
好ましくは、本発明は、本体と本体に移動可能に取り付けられたリガチャーとを有するマウスピースを含むことができ、このリガチャーは、少なくとも、リードを、本体に固定するために本体に対して適所に挿入することができる第１の形態と、リガチャーが本体に対してリードを固定するように配置される第２の形態との間で、本体に対して移動するように構成される。
【００１７】
更に広範な形態において、本発明は、
楽器を組み立てる方法であって、
（ｉ）管状体を設けるステップであって、この管状体は、
少なくとも１つのトーンホールを備える内部管であって、トーンホールは、内部管の内側の領域と内部管の外側の領域との間に空気連通を提供するようにこの内部管の表面に配置される、内部管と、
内部管の外面に取り付けられるように構成された第１の外側シェル部材と、
を有する、ステップと、
（ｉｉ）トーンホール閉鎖部、軸部及び付勢部材を含む少なくとも１つのキー部材を設けるステップであって、トーンホール閉鎖部は、少なくとも、このトーンホール閉鎖部が内部管内に配置された少なくとも１つのトーンホールを覆う閉鎖位置と、このトーンホール閉鎖部が、内部管に配置されたトーンホールを覆わない開放位置との間で、管状体に対して移動するように構成される、ステップと、
（ｉｉｉ）軸部及び付勢部材のうちの少なくとも一方を、第１の外側シェル部材と内部管の外面とのうちの少なくとも一方に配置された設置部によって提供される設置位置に配置するステップと、
（ｉｖ）第１の外側シェル部材を内部管の外面に、それらの間にキー部材の動作のために軸部及び付勢部材のうちの少なくとも一方をその設置位置で固定するように取り付けるステップと、
を含む、方法を提供する。
【００１８】
通常、楽器は、木管型楽器及び金管型楽器のうちの少なくとも一方を含むことができる。
【００１９】
好ましくは、楽器は、サクソフォン型楽器を含むことができる。
【００２０】
好ましくは、第１の外側シェル部材及び内部管は、クリック嵌合式、スナップフィット式、圧入嵌合式及び摩擦嵌合式の少なくとも１つで合わせて取り付けられるように構成することができる。
【００２１】
好ましくは、第１の外側シェル部材に複数の孔を配置することができ、それにより、第１の外側シェル部材が内部管に取り付けられると、第１の外側シェル部材に配置された複数の孔は、内部管に配置されたトーンホール部と位置合わせされるように構成することができる。
【００２２】
好ましくは、本発明は、トーンホール閉鎖部内にシリコーンパッドを受け入れる凹部を設けるステップを含むことができ、それにより、トーンホール閉鎖部が閉鎖位置に配置されると、シリコーンパッドは対応するトーンホールを封止する。
【００２３】
好ましくは、内部管は、ポリマー材料から成形することができる単一部品の管を含むことができる。
【００２４】
好ましくは、第１の外側シェル部材及びキー部材のうちの少なくとも一方は、ポリマー材料から少なくとも部分的に成形することができる。
【００２５】
好ましくは、本発明は、管状体に配置されたサムレストを設けるステップを含むことができ、このサムレストは、管状体に対して複数の位置の間で移動可能である。
【００２６】
好ましくは、本発明は、間にサムレストの第１の部分を封入し、サムレストの第２の部分が管状体から外側に延在するのを可能にするように、内部管に取り付けられるように構成された第２の外側シェル部材を設けるステップを含むことができ、それにより、サムレストのこの第１の部分は、サムレストの管状体に対する位置の調整を可能にするように、第２の外側シェル部材と内部管との間に配置された空間内で摺動可能である。
【００２７】
好ましくは、本発明は、内部管の表面に配置されたオクターブ孔を含むことができ、それにより、このオクターブ孔の閉鎖は、第１オクターブでの本楽器の演奏を可能にするように構成され、オクターブ孔の開放は、相対的により高いオクターブでの本楽器の演奏を可能にするように構成される。
【００２８】
好ましくは、本発明は、楽器で使用されるマウスピースを設けるステップを含むことができ、マウスピースは、本体と本体に移動可能に取り付けられたリガチャーとを含み、このリガチャーは、少なくとも、リードを、本体に固定するために本体に対して適所に挿入することができる第１の形態と、リガチャーが本体に対してリードを固定するように配置される第２の形態との間で、本体に対して移動するように構成されている。
【００２９】
更に広い形態では、本発明は、楽器用のマウスピースを提供し、マウスピースは、本体と本体に移動可能に取り付けられたリガチャーとを有し、このリガチャーは、少なくとも、リードを、本体に固定するために本体に対して適所に挿入することができる第１の形態と、リガチャーが本体に対してリードを固定するように配置される第２の形態との間で、本体に対して移動するように構成されている。
【００３０】
本発明の実施形態は、以下の利点のうちの少なくとも１つを提供するのに役立つことができることが理解されよう。
（ｉ）従来のサクソフォンのキーアセンブリ構造とは対照的に、本発明の実施形態は、枢動軸、付勢部材等のキーアセンブリの比較的脆弱な部品の露出を、こうした部品を、楽器の管状体構造内に取り込みかつそこで損傷から保護することにより、軽減することができる。
（ｉｉ）本発明の実施形態のキーアセンブリは、使用者の指によって対応するトーンホールに直接押圧することができ、それによって、損傷を受けやすい傾向がある従来のサクソフォンの複雑なキーアセンブリ構造の必要が更に軽減される。
（ｉｉｉ）サクソフォン型楽器は、必要な技能及び専門技術が比較的わずかで、かつキー部材及び他の部品等の楽器の部品を合わせて適所に固定するためのピン、ねじ、接着剤、締結具等の必要を軽減して、比較的迅速にかつ容易に組み立てることができ、それは、これらの部品が、アセンブリの製造中に、上部シェル部材又は下部シェル部材のいずれかと内部管の表面との間の適所において、単に内部管の表面に対する適所まで上部シェル部材及び下部シェル部材をクリック嵌合することによって、好都合に固定することができるためである。さらに、組立プロセスは、いかなる専門器具も必要とすることなく行うことができ、それは、組立プロセスを容易にしかつ迅速化するように、全ての部品を手で合わせてクリック嵌合させることができるためである。
（ｉｖ）従来のサクソフォンは、こうした楽器の間でアセンブリの均一性及び一貫性が比較的ないため、製造プロセス及び継続的な保守の間に、注文されたチューニングが必要である。対照的に、本発明の実施形態によって製造されるサクソフォン型楽器は、楽器の部品及びアセンブリの設計により、固有にチューニングすることができ、楽器のチューニングは、楽器部品が均一に画定された構成に従って均一に成形されかつ取り付けられているため、異なる楽器の間で概して一貫する。
（ｖ）従来のサクソフォンのキー部材構成とは対照的に、本発明の実施形態で使用されるキー部材は、管状体の長さに沿って比較的直線状形態で好都合に配置することができ、それによって、初心者の演奏者のためのリコーダーの演奏からより複雑な運指が必要な従来のサクソフォンの演奏への足掛かりを提供するように、楽器の演奏を学ぶ子供の能力を向上させることができる。
（ｖｉ）従来型のサクソフォンは、適切に扱われず又は保守がなされない場合にさび及び他の損傷を受けやすい金属部品を使用する。対照的に、本発明の実施形態は、ポリマー材料等から形成された部品を利用し、それにより、子供が運びかつ扱うのに適したより耐久性のある軽量な楽器が提供される。
（ｖｉｉ）内部管の外面にクリック嵌合される第１の外側シェル部材及び第２の外側シェル部材は、内部管を損傷から保護するのに役立つことができる。さらに、楽器が本質的にモジュール式であるため、楽器の保守中に、又は使用者の具体的な嗜好及び選好に対して望ましいように楽器をカスタマイズするために、第１の外側シェル部材及び第２の外側シェル部材を容易に取り除きかつ交換することができる。
【００３１】
本発明は、添付図面に関連して記載する、好ましいが限定しない本発明の実施形態の以下の詳細な説明から、より十分に理解されるであろう。
【図面の簡単な説明】
【００３２】
【図１】本発明の一実施形態によるサクソフォン型楽器の組立分解斜視図である。
【図２】楽器のネックからマウスピースが取り外されている、サクソフォン型楽器の組立分解斜視図である。
【図３】単独でのサクソフォン型楽器の管状体の斜視図である。
【図４】本発明の一実施形態による、管状体の両端部にストレートネック及びベル部材が取り付けられているサクソフォン型楽器の斜視図である。
【図５】本発明の一実施形態によるサクソフォン型楽器の管状体にキー部材が取り付けられる前に、キー部材の凹部にシリコーンパッドが挿入されている状態の斜視図である。
【図６】本発明の一実施形態による、ＡＢＳペグの挿入によりキー部材の凹部内の適所にシリコーンパッドが固定されている斜視図である。
【図７】上部シェル部材の孔の適所にＯリングが挿入されている、上部シェル部材の斜視図である。
【図８】本発明の一実施形態による、上部シェル部材の下面に配置された位置決めスロット内に、キー部材の付勢部材が挿入されている、上部シェル部材の下面の斜視図である。
【図９】本発明の一実施形態による、上部シェル部材及びキー部材が内部管に取り付けられるために合わせて下げられる前に、上部シェル部材の対応する孔に通されているプロセスにおける、キー部材の軸部を示す上部シェル部材の下面の斜視図である。
【図１０】本発明の一実施形態による、上部シェル部材及びキー部材が内部管に取り付けられるために合わせて下げられる前に、上部シェル部材の対応する孔に通されているプロセスにおける、キー部材の軸部を示す上部シェル部材の上面の斜視図である。
【図１１】本発明の一実施形態による、上部シェル部材が、キー部材の軸部及び付勢部材を適所に保持するように、内部管の外面にクリック嵌合（click-fitting：カチッと嵌まる）式に取り付けられるように下げられているプロセスにある、上にキー部材が適切に配置されている上部シェル部材の上面斜視図である。
【図１２】本発明の一実施形態による、調整可能なサムレストを適所に固定するために、下部シェル部材が内部管の下面にクリック嵌合している状態の斜視図である。
【図１３】本発明の一実施形態による、サクソフォン型楽器で使用されるマウスピースであって、リードがマウスピースに固定されるために適所に操作されることが可能な第１の形態に回転移動可能なリガチャーが一体形成されているマウスピースの側面図である。
【図１４】本発明の一実施形態による、リードが、リガチャーによってマウスピースに締め付けられるのに備えて、マウスピースに対して適所に摺動可能に挿入されているように示されている、図１３のマウスピースの側面図である。
【図１５】リガチャーが、リードを適所に固定するようにマウスピースに対してリードを締め付ける第２の形態まで回転した、図１３のマウスピースの側面図である。
【発明を実施するための形態】
【００３３】
ここで、本発明の好ましい実施形態について、図１〜図１５を参照して説明する。
【００３４】
図１は、本発明の第１の実施形態によるサクソフォン型楽器１００の組立分解斜視図を示す。楽器は、単一部品の内部管１８０と上部シェル部材１４０ａ及び下部シェル部材１４０ｂとによって構成された管状体１１０を含み、上部シェル部材１４０ａ及び下部シェル部材１４０ｂは、楽器１００が組み立てられるとき、内部管１８０の周囲に外部シェルを形成するように、内部管１８０の外面の上部領域及び下部領域それぞれに、クリック嵌合式に取り付けられるように構成されている。管状体１１０は、ベル部１３０に取り付けられるように構成された第１の開放端部を含む。管状体１１０の第２の開放端部は、カーブネック部１２０（図４に示すように、ストレートネックとして形成される場合もある）に取り付けられるように構成されている。
【００３５】
ネック部１２０は、図２に示すように、アダプターリング部品１９９を介してマウスピース１７０に取り付けられるように更に構成されている。この実施形態では、マウスピース１７０はリガチャー１７０ａを含み、リガチャー１７０ａは、マウスピース１７０の本体１７０ｂと合わせて一体的に形成され、少なくとも、リード１７０ｃを、マウスピース本体１７０ｂに固定するために適切な位置まで操作することができる、図１４に示すような第１の形態と、リード１７０ｃをマウスピース本体１７０ｂに対して固定位置で保持するように、リード１７０ｃをマウスピース本体１７０ｂに対して締め付ける位置までリガチャー１７０ａが移動する、図１５に示すような第２の形態との間で、本体１７０ｂに対して移動可能である。有利には、マウスピース１７０の一体的に形成されたリガチャー１７０ａは、マウスピース１７０に対するリード１７０ｃの迅速な取付け及び取外しを可能にするのに役立つことができる。さらに、リガチャー１７０ａがマウスピース１７０の一部として一体的に形成されているため、これに関連して使用される従来型のマウスピースの場合であり得るような、リガチャー１７０ａがマウスピース１７０から不注意で外れる危険が緩和される。さらに、マウスピース１７０の新規な構成により、マウスピース１７０を必要な場合に片手でより容易に操作することができる。
【００３６】
管状体１１０の単一部品の内部管１８０は、開放された第１の端部及び第２の端部と、内部管１８０の側壁に沿って配置された、外側に突出するトーンホール部１８０ａとを含む。或る特定の実施形態では、内部管を形成するように合わせて接合される別個の部品から内部管１８０を形成することが可能であるが、好ましくは、楽器１００の実施形態では、楽器の演奏中の音の完全性を向上させるのに役立つように、単一部品の内部管１８０が利用される。内部管１８０は、例えば、ＡＢＳ材料又は他の任意の適切なポリマー材料を射出成形することによって、単一部品として形成することができる。
【００３７】
楽器１００は、各々が軸部１５０ａと、対応するトーンホール部１８０ａを覆うトーンホール閉鎖部１５０ｂとを含むように単一部品としてＡＢＳ材料から射出成形される、複数のキー部材１５０を含む。キー部材１５０は、少なくとも、トーンホール閉鎖部１５０ｂが内部管１８０の対応するトーンホール部１８０ａを覆わない開放位置と、トーンホール閉鎖部１５０ｂが対応するトーンホール部１８０ａを覆う閉鎖位置との間で、軸部１５０ａを中心に管状体１１０に対して枢動可能であるように、管状体１１０に取り付けられるように構成されている。
【００３８】
トーンホール閉鎖部１５０ｂの内部に円形凹部が配置されており、この円形凹部は、円形状の圧縮成形されたシリコーンパッド１５０ｃをぴったりと受け入れるような形状及び寸法である。シリコーンパッド１５０ｃは、図６に示すように、同様にＡＢＳ材料から形成されるペグ１５０ｄによって凹部内に固定される。好都合には、パッド１５０ｃは、必要な場合に、ＡＢＳペグ１５０ｄを取り除き、パッド１５０ｃをその凹部から外すことによって、迅速にかつ容易に交換することができる。キー部材１５０が、それらの軸部１５０ａの周囲でそれらの閉鎖位置まで枢動するとき、シリコーンパッド１５０ｃは、対応するトーンホール部１８０ａを実質的に封止する。
【００３９】
キー部材１５０は、各々、付勢部材１５０ｅによってそれらの対応するトーンホール部１８０ａに対してそれらの開放位置に付勢される。この実施形態では、付勢部材１５０ｅは、図８及び図９に示すように上部シェル１４０ａの位置決めスロット１９０内に設置されたポリオキシメチレン（ＰＯＭ）ばね部材によって構成される。この実施形態では、図１１に示すように、Ｇ＃キーに対する付勢部材１９２の位置決めスロット１９１は、内部管１８０の上面に配置されている。
【００４０】
上部シェル部材１４０ａ及び下部シェル部材１４０ｂは、クリック嵌合取付けタブ１９４を含み、クリック嵌合取付けタブ１９４は、内部管１８０の上面及び下面それぞれに配置された対応する切欠き１９３に、クリック嵌合式に、圧入嵌合式に、又はスナップフィット式に取り付けられるように構成されている。上部シェル部材１４０ａには複数の孔１９６が配置され、それらの孔１９６は、上部シェル部材１４０ａが内部管１８０に取り付けられるときに、内部管１８０の表面から外側に延在している、対応する突出するトーンホール部１８０ａと同心状に位置合わせされるように構成されている。幾つかの実施形態では、上部シェル部材１４０ａが内部管１８０に取り付けられるとき、内部管１８０の突出するトーンホール部１８０ａは、上部シェル部材１４０ａの対応する孔１９６の周縁部内に少なくとも部分的に延在し、かつそこに受け入れられ、それにより、上部シェル部材１４０ａの位置合わせされた孔は、好都合に、組立中、上部シェル部材１４０ａを内部管１８０に対するその適切な位置に配置する位置決め手段としての役割を果たすことができる。上部シェル部材１４０ａの孔１９６はまた、トーンホール閉鎖部１５０ｂが、内部管のそれらのそれぞれのトーンホールを覆うように閉鎖位置まで枢動するとき、対応するキー部材１５０のトーンホール閉鎖部１５０ｂの形状及び寸法を補完するように適切に設けることもできる。これはまた、組み立てられた楽器１００においてキー部材１５０を適所に配置するのに役立つことができる。さらに、楽器の組立中、トーンホール閉鎖部１５０ｂがそれらの閉鎖位置に配置されるとき、トーンホール部１８０ａの封止に役立つように、上部シェル部材１４０ａの孔１９６の周縁部内の適所に、Ｏリング１９７を挿入することができる。
【００４１】
各キー部材１５０の軸部１５０ａ及び付勢部材１５０ｅは、内部管１８０の表面に配置された設置部１９８によって提供される設置位置に配置されるように構成され、それにより、上部シェル部材１４０ａが内部管１８０の外面に取り付けられるとき、取り付けられた上部シェル部材１４０ａと内部管１８０の表面とが合わせて、それらの間に軸部１５０ａ及び付勢部材１５０ｅをそれらのそれぞれの設置位置において固定する。これを達成するために、楽器の組立中、付勢部材１５０ｅは、最初に、それらのそれぞれの設置位置（この実施形態では、取り付けられるとき内部管１８０に向かって内側に面する上部シェル部材１４０ａの表面に配置された位置決めスロット１９０を備える）に配置され、キー部材１５０のトーンホール閉鎖部１５０ｂが、図示するように上部シェル部材１４０ａに配置されたそれらのそれぞれの孔１９６を覆うように適所に配置された状態で、キー部材１５０の軸部１５０ａは、上部シェル部材１４０ａのそれらのそれぞれの対応する孔１９６に通される。また、軸部１５０ａは対応する軸部設置部１５０ａａに配置される。そして、図１１に示すように、上部シェル部材１４０ａ及びキー部材１５０が、この構成では内部管１８０の上面に向かって合わせて下げられ、それにより、キー部材１５０の軸部１５０ａが、設置部１９８によって画定された設置位置に近接して配置される。そして、上部シェル部材１４０ａのクリック嵌合取付け部材が、内部管１８０の外面に配置された対応する取付け用切欠き１９３に取り付けられるようにクリック嵌合して、上部シェル部材１４０ａ及び内部管１８０のクリック嵌合取付けをもたらす。その後、キー部材１５０の軸部１５０ａは、それらの設置位置１９８内に固定して保持されながら、設置位置１９８に近接して枢動することができる。付勢部材１５０ｅは、キー部材１５０に当接し、キー部材１５０をそれらの対応するトーンホール部１８０ａに対するそれらの開放位置にするように構成される。それにより、上部シェル部材１４０ａが内部管１８０の上面に取り付けられると、キー部材１５０の軸部１５０ａ及び付勢部材１５０ｅは、上部シェル部材１４０ａの構造と内部管１８０との間に取り込まれ、それにより、従来型のサクソフォンのキーアセンブリの場合でその傾向があり得るように、これらの比較的脆弱な部品が損傷するあり得る露出が軽減する。好都合には、キーアセンブリ又はその部品が、取り付けられた上部シェル部材１４０ａと内部管１８０表面との間の適所に固定して保持されることが可能であるため、楽器１００は、必要な技能が比較的わずかで、かつキー部材アセンブリを適所に固定するためにピン、ねじ、接着剤、締結具等を使用する必要なしに、比較的迅速にかつ容易に組み立てることができることに留意されたい。
【００４２】
従来のサクソフォンでは、ネックにオクターブ孔が配置されており、このオクターブ孔は、平坦な金属製のオクターブキーを含む機械的アセンブリによって制御可能に覆われることが可能である。使用者によって操作されると、平坦な金属製のオクターブキーは、通常、オクターブ孔を覆うように、てこ式に適所まで動かされ、それには、サクソフォンの高音域への音声出力のシフトを変化させるという効果がある。対照的に、本発明のこの実施形態では、楽器の音声出力を高音域にシフトさせる新規な構成が提供され、それによってオクターブキーが不要になり、オクターブ孔２００は、ここでは、楽器の内部管１８０に配置され、楽器の演奏中、使用者の指又は親指がオクターブ孔２００を直接覆うことによって、選択的に閉鎖されるように構成される。オクターブ孔の閉鎖は、第１オクターブでの楽器の演奏を可能にするように構成され、オクターブ孔の開放は、相対的により高いオクターブでの楽器の演奏を可能にするように構成される。この新規なオクターブ変更構成により、サクソフォン型楽器に関して、子供の手によってオクターブ変更をより容易に行うことができるようになる。本発明の実施形態によって形成されたサクソフォン型楽器の全体的な複雑性、組立費用及び継続的な修理の費用もまた、簡略化した人間工学的構造及び最小限の可動部品により、軽減することができる。
【００４３】
また、従来のサクソフォンでは、楽器の本体の下側にフック状のサムレストが配置され、使用者は、通常、サクソフォンの演奏中にサクソフォンの重量を支持するように、その上に親指をひっかけることができる。本発明の実施形態では、新規なサムレスト１６０構成が管状体１８０の下側に配置され、サムレスト１６０は、種々の使用者の保持の好みに適応し、楽器の演奏中に使用者の快適さを向上させるように、摺動式に調整可能である。好都合には、調整可能なサムレスト１６０は、図１２に示すように、アセンブリの製造中、サクソフォン型楽器に容易にかつ迅速に取り付けることもできる。図示するように、サムレスト１６０は、内部管１８０の下面に配置された矩形状凹部２０２内で摺動軸に沿って摺動するように構成された矩形状部１６０ａを含む。フック状サムレスト部１６０ｂが、射出成形されたＡＢＳ材料から矩形状部１６０ａと一体的に形成され、矩形状部１６０ａから実質的に垂直に延在している。調整可能なサムレスト１６０を適所に固定するために、サムレスト１６０の矩形状部１６０ａが、内部管１８０の下面の対応する凹部２０２内に配置されると、下部シェル部材１４０ｂは、下部シェル部材１４０ｂを内部管１８０とクリック嵌合係合して固定するように、サムレスト１６０の上に配置される。下部シェル部材１４０ｂはスロット２０４を含み、スロット２０４は、フック状サムレスト部１６０ｂがスロット２０４を通って突出し、使用中にスロット内で自由に移動するのを可能にする形状及び寸法である。好都合には、新規な調整可能なサムレスト１６０は、本発明の実施形態に含められるのに比較的十分に適しており、それは、必要な技能が比較的わずかで、サムレストを適所に固定するためにピン、ねじ、接着剤、締結具等を使用する必要なしに、比較的迅速にかつ容易に摺動するように、適所に固定することができるためである。
【００４４】
当業者は、本明細書に記載した発明が、本発明の範囲から逸脱することなく、具体的に記載したもの以外の変形及び変更が可能であることを理解するであろう。当業者に明らかとなるこうした全ての変形及び変更は、広範に上述したように本発明の趣旨及び範囲内にあるものとみなされるべきである。本発明は、全てのこうした変形及び変更を含むように理解されるべきである。本発明はまた、本明細書において個々に又はまとめて言及するか又は示したステップ及び特徴の全てと、上記ステップ又は特徴のうちの任意の２つ以上のありとあらゆる組合せとを含む。
【００４５】
本明細書におけるいかなる従来技術に対する言及も、その従来技術が共通の一般知識の一部を形成するということを認めるものであるか、又はいかなる形態で示唆するものでもなく、かつそのように解釈されるべきではない。
【図１】
2018084785.tif 000003
【図２】
2018084785.tif 000004
【図３】
2018084785.tif 000005
【図４】
2018084785.tif 000006
【図５】
2018084785.tif 000007
【図６】
2018084785.tif 000008
【図７】
2018084785.tif 000009
【図８】
2018084785.tif 000010
【図９】
2018084785.tif 000011
【図１０】
2018084785.tif 000012
【図１１】
2018084785.tif 000013
【図１２】
2018084785.tif 000014
【図１３】
2018084785.tif 000015
【図１４】
2018084785.tif 000016
【図１５】
2018084785.tif 000017
【外国語明細書】
2018084785000001.pdf
2018084785000002.pdf
2018084785000003.pdf
2018084785000004.pdf